(57)【要約】【課題】積極的に内容液を吐出させる操作の前の状態で、ノズルキャップのノズル部の先端吐出口から、内容液が、不用意に且つ勢い良く吐出するのを効果的に抑制できるノズルキャップ付き容器を提供する。【解決手段】傾倒させることで内容液を吐出させる容器本体１１の口首部１２に、ノズルキャップ１４が取り付けられたノズルキャップ付き容器１０であって、ノズルキャップ１４のノズル部１５は、キャップ本体１６の閉塞板部１６ａによって支持されて、口首部１２の軸方向に延設して設けられている。ノズル部１５は、閉塞板部１６ａから上方に立設する上方立設部分１５ｃと、閉塞板部１６ａから口首部１２の基端開口面１２ｂを超えて下方に延設する下方延設部分１５ｄとからなる。ノズル部１５の下方延設部分１５ｄの側周面には、下方延設部分１５ｄの下端面からノズル部１５の軸方向に切り込まれた、複数のスリット状切欠き１７が形成されている。【選択図】図２
2013180765.tif 000002
【特許請求の範囲】
【請求項１】
傾倒させることで内容液を吐出させる容器本体の口首部に、ノズルキャップが取り付けられたノズルキャップ付き容器であって、
前記ノズルキャップのノズル部は、キャップ本体の閉塞板部によって支持されて、前記口首部の内周面から離間した状態で当該口首部の軸方向に延設して設けられていると共に、内容液を案内して先端吐出口から吐出させる吐出ガイド流路を内部に備えており、
前記ノズル部は、前記閉塞板部から前記口首部の先端開口面を超えて上方に立設する上方立設部分と、前記閉塞板部から前記口首部の基端開口面を超えて下方に延設する下方延設部分とからなり、
且つ前記ノズル部の前記下方延設部分の側周面には、複数の切欠き又は開口が形成されているノズルキャップ付き容器。
【請求項２】
前記下方延設部分の側周面に形成された複数の切欠き又は開口は、前記下方延設部分の下端面から前記ノズル部の軸方向に切り込まれ、周方向に間隔をおいて配設された少なくとも２本以上のスリット状切欠きである請求項１記載のノズルキャップ付き容器。
【請求項３】
前記下方延設部分の側周面に形成された複数の切欠き又は開口は、当該側周面に対向配置された一対の開口穴である請求項１記載のノズルキャップ付き容器。
【請求項４】
前記ノズルキャップは、前記ノズル部の軸方向が、前記容器本体の口首部の軸方向と一致又は略一致するように前記容器本体の口首部に取り付けられている請求項１〜３のいずれか１項記載のノズルキャップ付き容器。
【請求項５】
前記容器本体は、前記口首部を、当該容器本体の縦方向中心軸に対して側方に偏心させた位置から、該偏心させた方向とは反対側に傾けて突出させた、首曲がりボトル形状を備えている請求項１〜４のいずれか１項記載のノズルキャップ付き容器。
【請求項６】
前記容器本体の胴部を押圧することで内容液を吐出させるスクイズ容器となっている請求項１〜５のいずれか１項記載のノズルキャップ付き容器。
【発明の詳細な説明】
【技術分野】
【０００１】
本発明は、ノズルキャップ付き容器に関し、特に傾倒させることで内容液を吐出させる容器本体の口首部に、ノズルキャップが取り付けられたノズルキャップ付き容器に関する。
【背景技術】
【０００２】
容器本体を傾倒させることでノズル部から内容液を吐出させる容器として、例えばスクイズ容器が知られている。スクイズ容器では、内容液が収容された、可撓性を有する合成樹脂製のボトル形状の容器本体を傾倒させると共に、容器本体の口首部に取り付けられたノズルキャップのノズル部の先端吐出口を吐出箇所に向けた状態で、容器本体の胴部を押圧することにより、内部の圧力を高めて、内容液を先端吐出口から線状に連続吐出させることが可能である（例えば、特許文献１参照）。
【０００３】
また、容器本体を傾倒させることで内容液を吐出させるスクイズ容器等の容器のノズル部は、相当の長を有する吐出ガイド流路を内部に備えており、この吐出ガイド流路を通過させて内容液をノズル部の先端吐出口から吐出させることにより、内容液を、吐出ガイド流路の延長方向に方向付けさせながら、安定した状態で吐出させることが可能である。
【先行技術文献】
【特許文献】
【０００４】
【特許文献１】特開２００８−２４３３９
【発明の概要】
【発明が解決しようとする課題】
【０００５】
一方、容器本体を傾倒させることで内容液を吐出させるスクイズ容器等の容器では、内容液を吐出させる際に、容器本体を傾倒させて収容された内容液が口首部に送られると、送られる際の内容液の勢いによって、積極的に内容液を吐出させる操作の前の状態においても、不用意に且つ勢い良く、内容液がノズルキャップのノズル部の先端吐出口から吐出して、周囲のものを汚す場合がある。また、スクイズ容器の場合には、口首部の内側領域に送られて当該内側領域に充填された内容液が、可撓性を有する容器本体の胴部を把持した手や指からの圧力を受けることによって、胴部を積極的に押圧していないスクイズ前の状態においても、不用意に且つ勢い良く、内容液がノズルキャップのノズル部の先端吐出口から吐出して、周囲のものを汚す場合がある。
【０００６】
特に、トイレ掃除用の液体洗剤が収容された容器本体が、例えば洋式便器の開口周縁部の内側張出し段差部に向けて、斜め下方から洗剤を吐出させ易い形状として、いわゆる首曲がりボトル形状を備えるスクイズ容器となっている場合には（図７（ａ）、（ｂ）参照）、容器本体を傾倒させながらノズルキャップのノズル部の先端吐出口を、洋式便器の内側張出し段差差部に向けてゆく操作の途中で、内容液が、不用意に且つ勢い良く先端吐出口から吐出して、洋式便器の外側に飛び出すことがある。
【０００７】
本発明は、傾倒させることで内容液を吐出させる容器本体の口首部に取り付けられた、ノズルキャップのノズル部の先端吐出口から、積極的に内容液を吐出させる操作の前の状態で、内容液が、不用意に且つ勢い良く吐出するのを効果的に抑制できるノズルキャップ付き容器を提供することを目的とする。
【課題を解決するための手段】
【０００８】
本発明は、傾倒させることで内容液を吐出させる容器本体の口首部に、ノズルキャップが取り付けられたノズルキャップ付き容器であって、前記ノズルキャップのノズル部は、キャップ本体の閉塞板部によって支持されて、前記口首部の内周面から離間した状態で当該口首部の軸方向に延設して設けられていると共に、内容液を案内して先端吐出口から吐出させる吐出ガイド流路を内部に備えており、前記ノズル部は、前記閉塞板部から前記口首部の先端開口面を超えて上方に立設する上方立設部分と、前記閉塞板部から前記口首部の基端開口面を超えて下方に延設する下方延設部分とからなり、且つ前記ノズル部の前記下方延設部分の側周面には、複数の切欠き又は開口が形成されているノズルキャップ付き容器を提供することにより、上記目的を達成したものである。
【発明の効果】
【０００９】
本発明のノズルキャップ付き容器によれば、傾倒させることで内容液を吐出させる容器本体の口首部に取り付けられた、ノズルキャップのノズル部の先端吐出口から、積極的に内容液を吐出させる操作の前の状態で、内容液が、不用意に且つ勢い良く吐出するのを効果的に抑制することができる。また、内容液の残量を効果的に低減することが可能になる。
【図面の簡単な説明】
【００１０】
【図１】本発明の好ましい一実施形態に係るノズルキャップ付き容器の正面図である。
【図２】ノズルキャップが取り付けられた容器本体の要部略示断面図である。
【図３】（ａ）は容器本体を傾倒させることで、ノズル部から内容液を吐出させる状態の要部略示断面図、（ｂ）は（ａ）のＡ−Ａに沿った拡大断面図である。
【図４】（ａ）は容器本体を傾倒させることで、ノズル部から内容液を吐出させる最終段階の要部略示断面図、（ｂ）はスリット状切欠きが設けられていない場合の最終段階の要部略示断面図である。
【図５】（ａ）は他の形態のノズルキャップが取り付けられた容器本体を傾倒させることで、内容液をノズル部から吐出させる状態の要部略示断面図、（ｂ）は（ａ）のＢ−Ｂに沿った拡大断面図である。
【図６】他の形態のノズルキャップが取り付けられた容器本体を傾倒させることで、ノズル部から内容液を吐出させる最終段階の要部略示断面図である。
【図７】（ａ）、（ｂ）は、ノズルキャップ付き容器を把持して、ノズル部の先端吐出口を洋式便器の内側張出し段差部に向けてゆく操作を説明する略示斜視図である。
【図８】ノズルキャップが取り付けられた容器本体を傾倒させることで、下方延設部分を備えていないノズル部から内容液を吐出させる状態の要部略示断面図である。
【発明を実施するための形態】
【００１１】
本発明の好ましい一実施形態に係るノズルキャップ付き容器１０は、図１に示すように、内容液として、例えばトイレ掃除用の液体洗剤を収容した合成樹脂製のボトル形状の容器本体１１と、この容器本体１１の口首部１２に一体として取り付けられたノズルキャップ１４とを含んで構成される。また、本実施形態のノズルキャップ付き容器１０は、好ましくはスクイズ容器として用いることができるようになっており、容器本体１１の胴部１３が、表裏一対の正面壁部１３ａを、互いに近接させる方向に弾性変形可能な可撓性を備えている。例えば胴部１３を把持して傾倒させた状態で、一対の正面壁部１３ａを挟み込むようにして押圧することで、容器本体１１をスクイズ変形させつつ内部に圧力を加えることによって、ノズルキャップ１４のノズル部１５の先端吐出口１５ａから、内容液を吐出できるようになっている。さらに、本実施形態のノズルキャップ付き容器１０は、例えば容器本体１１を傾倒させながら、ノズルキャップ１４のノズル部１５の先端吐出口１５ａを吐出箇所に向けてゆく操作の途中の、胴部１３を積極的に押圧していないスクイズ前の状態で、ノズル部１５の先端吐出口１５ａから、内容液が不用意に且つ勢い良く吐出するのを効果的に抑制できるようにする機能を備えている（図７（ａ）、（ｂ）参照）。
【００１２】
そして、本実施形態のノズルキャップ付き容器１０は、図１に示すように、傾倒させることで内容液を吐出させる容器本体１１の口首部１２に、ノズルキャップ１４が取り付けられた、好ましくはスクイズ変形可能な容器であって、ノズルキャップ１４のノズル部１５は、図２に示すように、キャップ本体１６の閉塞板部１６ａによって支持されて、口首部１２の内周面から離間した状態で当該口首部１２の軸方向に延設して設けられていると共に、内容液を案内して先端吐出口１５ａから吐出させる吐出ガイド流路１５ｂを内部に備えている。またノズル部１５は、キャップ本体１６の閉塞板部１６ａから口首部１２の先端開口面１２ａを超えて上方に立設する上方立設部分１５ｃと、閉塞板部１６ａから口首部１２の基端開口面１２ｂを超えて下方に延設する下方延設部分１５ｄとからなり、且つノズル部１５の下方延設部分１５ｄの側周面には、複数の切欠き又は開口として、例えば下方延設部分１５ｄの下端面からノズル部１５の軸方向に切り込まれた、スリット状切欠き１７が、少なくとも２本以上（本実施形態では３本）形成されている。
【００１３】
本実施形態では、容器本体１１は、例えばポリエチレン、ポリプロピレン、ポリエチレンテレフタレート等の合成樹脂からなるブロー成形品であって、スクイズ変形可能なボトル形状を有している。容器本体１１は、図１に示すように、胴部１３と、口首部１２と、底部２３とからなり、底部２３を載置面に載置することで、立設させた状態で店頭に陳列したり、家庭内で保管したりすることができるようになっている。容器本体１１の胴部１３は、例えば長軸及び短軸を有する扁平な略楕円又は略長円の中空断面形状を有している。容器本体１１の胴部１３は、底部２３とは反対側の上端部分において、その中心位置を胴部１３の縦方向中心軸Ｃから長軸の一方の端部側に偏心させつつ、その中空断面形状を徐々に縮径させた、先絞りの形状の首部１３ｂを有している。また容器本体１１は、図７（ａ）、（ｂ）に示すように、例えば洋式便器５０の開口周縁部の内側張出し段差部５１に向けて斜め下方からトイレ掃除用の液体洗剤を吐出させ易い形状として、いわゆる首曲がりボトル形状を備えている。
【００１４】
すなわち、本実施形態では、容器本体１１は、図１に示すように、首部１３ｂの先端に連続する口首部１２を、胴部１３の縦方向中心軸Ｃに対して側方に偏心させた位置から、この偏心させた方向とは反対側に傾けて突出させた、首曲がりボトル形状を備えている。また、本実施形態では、容器本体１１は、上端部分の先絞り部となっている首部１３ｂにおいて、当該首部１３ｂを偏心させた一方の端部側の側面を、縦方向の断面が外側に凸の滑らかな湾曲面となった、湾曲凸面１３ｃを介して口首部１２の基端部に接合させた形状を備えていると共に、他方の端部側の側面を、縦方向の断面が内側に凹の滑らかな湾曲面となった、湾曲凹面１３ｄを介して口首部１２の基端部に接合させた形状を備えている。これによって、容器本体１１は、斜めに傾いた状態で突出する口首部１２が下方に配置されるように、当該容器本体１１を傾倒させた際に（図７（ｂ）参照）、容器本体１１に収容された内容液を、先絞り部となっている首部１３ｂの湾曲凸面１３ｃの稜線部１３ｅの内側面を介して滑らかに且つスムーズに流下させると共に、ノズルキャップ１４が取り付けられた口首部１２に向けて、勢い良く送り出すことができるようになっている（図３（ａ）参照）。また、本実施形態では、容器本体１１は、首部１３ｂを胴部１３の縦方向中心軸Ｃに対して片側に傾けて突出させた、首曲がりボトル形状を備えており、底部１７から首部１３ｂにかけて湾曲状の稜線部１３ｅを形成するようになっており、且つ胴部１３の縦方向中心軸Ｃに対して、首曲がり側、もしくは反首曲がり側を把持して使用することでボトル内の内容液が、湾曲状の稜線部１３ｅの形状に沿って流動することによりノズル部１５に勢いを持って接触するようになっている。
【００１５】
本実施形態では、ノズルキャップ１４は、例えばポリエチレン、ポリプロピレン等の合成樹脂からなる射出成形品であって、図２に示すように、円環状嵌込み係合部１８と、この円環状嵌込み係合部１８の内側壁部１８ａの下方に延設する内筒壁１９と、内筒壁１９の下端部に一体として接合されて、内筒壁１９と共に口首部１２の内側の流出口を閉塞する閉塞板部１６ａとからなるキャップ本体１６と、キャップ本体１６の閉塞板部１６ａによって支持されて、これの中央部分を貫通するようにして立設した状態で、一体として設けられたノズル部１５とからなる。
【００１６】
また、本実施形態では、口首部１２の内側領域に配置される、円環状嵌込み係合部１８の内側壁部１８ａと、内筒壁１９と、閉塞板部１６ａとによって周囲を囲まれることで、液溜め凹部２４が、口首部１２の先端開口面１２ａの下方に形成されている。液溜め凹部２４には、例えば容器本体１１を傾倒させると共に、好ましくはスクイズ変形させて、内容液をノズル部１５の先端吐出口１５ａから所定量吐出させた後に、押圧を開放して正立状態に戻した際に、ノズル部１５の外周面を伝って下方に液垂れした内容液が液溜めされる。これによって、ノズル部１５の外周面を伝って液垂れした内容液が、口首部１２の外周面に付着するのを効果的に回避することが可能になる。
【００１７】
円環状嵌込み係合部１８は、内側壁部１８ａと天面壁部１８ｂと外側壁部１８ｃとからなる略コの字断面形状を備えている。外側壁部１８ｃの下端部内周面には、係合凸リブ１８ｄが設けられている。この係合凸リブ１８ｄを、容器本体１１の口首部１２の先端部外周面に設けられた被係合凸リブ１２ｃに係合することによって、口首部１２の先端部を内側壁部１８ａと外側壁部１８ｃとの間に挟み込むと共に、口首部１２の先端面を天面壁部１８ｂの下面に当接させた状態で、ノズルキャップ１４が、容器本体１１の口首部１２に装着固定される。
【００１８】
ノズル部１５は、これの内部に軸方向に貫通する吐出ガイド流路１５ｂを備えており、例えば１〜１０ｍｍ程度の内径を有すると共に、３０〜６０ｍｍ程度の長さを有する、縦長中空の円筒形状部分である。ノズル部１５は、キャップ本体１６の閉塞板部１６ａによって支持されて、これの中央部分から立設することで、ノズルキャップ１４が容器本体１１の口首部１２に装着固定された状態で、口首部１２の内周面から離間すると共に、当該ノズル部１５の軸方向を、容器本体１１の口首部１２の軸方向と一致又は略一致させて配置される。また、ノズル部１５は、キャップ本体１６の閉塞板部１６ａを挟んで上方に立設する上方立設部分１５ｃと、下方に延設する下方延設部分１５ｄとからなる。
【００１９】
ノズル部１５の上方立設部分１５ｃは、本実施形態では、上端部分の外周形状が、上端に向けて緩やかに縮径してゆく略円筒形状を有している。上方立設部分１５ｃは、キャップ本体１６の閉塞板部１６ａから、例えば２０〜３０ｍｍ程度の高さで立設している。これによって、ノズル部１５の先端吐出口１５ａは、口首部１２の先端開口面１２ａから、例えば１０〜２０ｍｍ程度突出する高さ位置に配設される。
【００２０】
ノズル部１５の下方延設部分１５ｄは、キャップ本体１６の閉塞板部１６ａに近接する上端部を除く略全長に亘って、複数のスリット状切欠き１７が形成された、略円筒形状を有している。下方延設部分１５ｄは、キャップ本体１６の閉塞板部１６ａから、例えば１０〜３０ｍｍ程度の長さで下方に延設している。これによって、ノズル部１５の後端流入口１５ｅは、口首部１２の基端開口面１２ｂから、例えば０〜２０ｍｍ程度低い高さ位置に配設される。
【００２１】
ノズル部１５の下方延設部分１５ｄの側周面に形成された、複数の切欠き又は開口としてのスリット状切欠き１７は、本実施形態では、当該下方延設部分１５ｃの下端面からノズル部１５の軸方向に切り込まれて、３本設けられている。すなわち、３本スリット状切欠き１７は、例えば１〜３ｍｍ程度のスリット幅を有すると共に、図３（ｂ）にも示すように、ノズル部１５の周方向に好ましくは１２０°の等角度間隔をおいて、平行に延設して、閉塞板部１６ａに近接する位置まで下方延設部分１５ｃの略全長に亘って形成されている。
【００２２】
また、本実施形態では、図２に示すように、ノズルキャップ付き容器１０を使用していない時に、ノズルキャップ１４のノズル部１５を覆って着脱可能に装着される、蓋キャップ２０が設けられている。蓋キャップ２０は、略切頭円錐形状の蓋本体部２１と、蓋本体部２１の下端部から連続して下方に延設する、略円筒形状の装着スカート部２２とからなる。蓋キャップ２０は、例えば装着スカート部２２の内側面に設けられた螺合突条２２ａを、容器本体１１の口首部１２の外周面に設けられた螺合突条１２ｃに螺着することで、蓋本体部２１の天面部内側面によってノズル部１５の先端吐出口１５ａを閉塞した状態で、容器本体１１の口首部１２を覆って取り付けられる。また、蓋本体部２１の天面部内側面から下方に突出して、インナーリング部２１ａが設けられている。容器本体１１の口首部１２を覆って蓋キャップ２０が取り付けられた際に、インナーリング部２１ａが、ノズル部１５の先端吐出口１５ａの内周縁部に沿って嵌め込まれることで、強固に止水した状態で先端吐出口１５ａを閉塞することが可能になる。さらに、蓋本体部２１の中間部内側面から下方に突出して、当接リング部２１ｂが設けられている。容器本体１１の口首部１２を覆って蓋キャップ２０が取り付けられた際に、当接リング部２１ｂの先端は、ノズルキャップ１４の円環状嵌込み係合部１８の天面壁部１８ｂを挟んで口首部１２の先端面に当接する。これによって、装着スカート部２０が口首部１２に過度に螺着されて、インナーリング部２１ａや、ノズル部１５の先端部が破損するのを、効果的に回避することが可能になる。
【００２３】
そして、上述の構成を備えるノズルキャップ付き容器１０によれば、傾倒させることで内容液を吐出させる容器本体１１の口首部１２に取り付けられた、ノズルキャップ１４のノズル部１５の先端吐出口１５ａから、積極的に内容液を吐出させる操作の前の状態で、内容液が、不用意に且つ勢い良く吐出するのを効果的に抑制することが可能になる。
【００２４】
すなわち、本実施形態によれば、ノズルキャップ１４のノズル部１５は、キャップ本体１６の閉塞板部１６ａから上方に立設する上方立設部分１５ｃと、閉塞板部１６ａから口首部１２の基端開口面１２ｂを超えて下方に延設する下方延設部分１５ｄとからなり、且つ下方延設部分１５ｄの側周面には、複数の切欠き又は開口として、下方延設部分１５ｃの下端面からノズル部１５の軸方向に切り込まれた、３本のスリット状切欠き１７が形成されている。
【００２５】
したがって、本実施形態のノズルキャップ付き容器１０によれば、図３（ａ）に示すように、容器本体１１を傾倒させることで内容液を吐出させる際に、容器本体１１を傾倒させるのに伴って、内容液が勢い良く口首部１２及びノズル部１５に向けて送り出されたとしても、下方延設部分１５ｄの下端面によるノズル部１５の後端流入口１５ｅは、口首部１２の基端開口面１２ｂよりも後方に配置されることから、図８（ａ）に示すような、ノズル部５５の後端流入口５５ｄが口首部１２の基端開口面１２ｂよりも前方に配置されているものと比較して、口首部１２及びノズル部１５に向けて送り出された内容液は、ノズル部１５の後端流入口１５ｅに直接的に流入し難くなるので、ノズル部１５の吐出ガイド流路１５ｂに流入する内容液の勢いや流速を、効果的に低減することが可能になる。
【００２６】
また、本実施形態によれば、下方延設部分１５ｄの側周面には、複数の切欠き又は開口として、例えば３本のスリット状切欠き１７が形成されていることで、各々のスリット状切欠き１７から吐出ガイド流路１５ｂに流入した内容液同士の衝突や、別のスリット状切欠き１７へのすり抜け等によって、下方延設部分１５ｄの内部やこれの周囲には、複雑な内容液の流れが生じることになると共に、ノズル部１５の後端流入口１５ｅから吐出ガイド流路１５ｂに流入した内容液は、スリット状切欠き１７を介して吐出ガイド流路１５ｂの外側に流れ出ることが可能なので、ノズル部１５の吐出ガイド流路１５ｂに流入する内容液の勢いや流速を、さらに効果的に低減することが可能になる。なお、下方延設部分にスリット状切欠きが無い吐出ガイド流路と比較して、少なくとも２ヶ所以上のスリット状切欠きを備えた吐出ガイド流路で、内容液の流速低減の更なる効果が確認出来た。
【００２７】
これらによって、内容液を吐出させる際に、容器本体１１を傾倒させて口首部１２の内側領域に送られた内容液が、積極的に内容液を吐出させる操作の前の状態で、不用意に且つ勢い良くノズル部１５の先端吐出口１５ａから吐出して、周囲のものを汚すことになるのを、効果的に回避することが可能になる。
【００２８】
また特に、本実施形態では、容器本体１１が、例えば洋式便器５０の開口周縁部の内側張出し段差部５１に向けて、斜め下方から洗剤を吐出させ易い形状として（図７（ａ）、（ｂ）参照）、いわゆる首曲がりボトル形状を備えるスクイズ容器となっており、斜めに傾いた状態で突出する口首部１２が下方に配置されるように当該容器本体１１を傾倒させた際に、容器本体１１に収容された内容液が、先絞り部１３ｂの湾曲凸面１３ｃの内側面を介して滑らかに且つスムーズに流下して、口首部１２に向けて、さらに勢い良く送り出されるようになっている。また、容器本体１１は、首部１３ｂを胴部１３の縦方向中心軸Ｃに対して片側に傾けて突出させた、首曲がりボトル形状を備えており、底部１７から首部１３ｂにかけて湾曲状の稜線部１３ｅを形成するようになっており、且つ胴部１３の縦方向中心軸Ｃに対して、首曲がり側、もしくは反首曲がり側を把持して使用することでボトル内の内容液が、湾曲状の稜線部１３ｅの形状に沿って流動することによりノズル部１５に勢いを持って接触するようになっている。しかしながら、本実施形態によれば、ノズル部１５の下方延設部分１５ｃは、上述のような構成を備えているので、容器本体１１を傾倒させながらノズルキャップ１４のノズル部１５の先端吐出口１５ａを、洋式便器５０の内側張出し段差差部５１に向けてゆく操作の途中で、内容液が、不用意に且つ勢い良く先端吐出口１５ａから吐出して、洋式便器５０の外側に飛び出すのを効果的に回避することが可能になる。また、ノズル部１５の下方延設部分１５ｃは、上述のような構成を備えているので、可撓性を有する容器本体１１の胴部１３を把持した手や指からの圧力を受けることによって、胴部１３を積極的に押圧していないスクイズ前の状態で、内容液が、不用意に且つ勢い良く先端吐出口１５ａから吐出して、洋式便器５０の外側に飛び出すのを効果的に回避することが可能になる。
【００２９】
さらに、本実施形態によれば、下方延設部分１５ｃの側周面には、複数の切欠き又は開口として、例えば３本のスリット状切欠き１７が形成されているので、図４（ａ）に示すように、容器本体１１が倒立するまで容器本体１１を傾倒させて、内容液を吐出させる最終段階で、スリット状切欠き１７を介して内容液をノズル部１５の吐出ガイド流路１５ｂに流入させることにより、内容液の残量を効果的に低減することが可能になる。すなわち、図４（ｂ）に示すような、下方延設部分１５ｃの側周面に複数の切欠き又は開口が形成されていないものと比較して、容器本体１１が倒立するまで容器本体１１を傾倒させて内容液を吐出させる最終段階で、内容液の残量を効果的に低減することが可能になる。
【００３０】
図５（ａ）は、本実施形態のノズルキャップ付き容器１０において、他の形態のノズルキャップ１４’が取り付けられた容器本体１１を傾倒させることで、内容液を吐出させている状態を示すものである。図５（ａ）のノズルキャップ１４’は、図２や図３（ａ）に示すノズルキャップ１４と比較して、ノズル部１５の下方延設部分１５ｄの側周面に形成された、複数の切欠き又は開口の形状や数が異なること以外は、図２や図３（ａ）に示すノズルキャップ１４と同様の構成を備えている。すなわち、図５（ａ）のノズルキャップ１４’では、図５（ｂ）にも示すように、下方延設部分１５ｃの側周面に形成された複数の切欠き又は開口は、当該側周面に対向配置された一対の開口穴１７ａとなっている。
【００３１】
図５（ａ）のノズルキャップ１４’が取り付けられた本実施形態のノズルキャップ付き容器１０によっても、各々の開口穴１７ａから吐出ガイド流路１５ｂに流入した内容液同士の衝突や、他方の開口穴１７ａへのすり抜け等によって、下方延設部分１５ｄの内部やこれの周囲には、複雑な内容液の流れが生じることになると共に、ノズル部１５の後端流入口１５ｅから吐出ガイド流路１５ｂに流入した内容液は、開口穴１７ａを介して吐出ガイド流路１５ｂの外側に流れ出ることが可能なので、ノズル部１５の吐出ガイド流路１５ｂに流入する内容液の勢いや流速を、さらに効果的に低減することが可能になって、上述と同様の作用効果が奏される。
【００３２】
また同様に、図６に示すように、容器本体１１が倒立するまで容器本体１１を傾倒させて、内容液を吐出させる最終段階で、開口穴１７ａを介して内容液をノズル部１５の吐出ガイド流路１５ｂに流入させることにより、内容液の残量を効果的に低減することが可能になる。
【００３３】
なお、本発明は上記実施形態に限定されることなく種々の変更が可能である。例えば、容器本体は、胴部を押圧することで内容液を吐出させるスクイズ容器の容器本体である必要は必ずしも無く、容器本体を傾倒させることのみによって、内容液をノズルキャップのノズル部から吐出させるものであっても良い。また、容器本体は、首曲がりボトル形状を備えている必要は必ずしもない。容器本体に収容される内容液は、トイレ掃除用の液体洗剤の他、その他の液体洗剤や食用の液体等の、種々の内容液であっても良い。
【符号の説明】
【００３４】
１０  ノズルキャップ付き容器
１１  容器本体
１２  口首部
１２ａ  先端開口面
１２ｂ  基端開口面
１３  胴部
１３ａ  正面壁部
１３ｂ  首部（先絞り部）
１３ｃ  湾曲凸面
１３ｄ  湾曲凹面
１３ｅ  湾曲状の稜線部
１４，１４’  ノズルキャップ
１５  ノズル部
１５ａ  先端吐出口
１５ｂ  吐出ガイド流路
１５ｃ  上方立設部分
１５ｄ  下方延設部分
１５ｅ  後端流入口
１６  キャップ本体
１６ａ  閉塞板部
１７  スリット状切欠き（切欠き又は開口）
１７ａ  スリット状切欠き（切欠き又は開口）
１８  円環状嵌込み係合部
１９  内筒壁
２０  蓋キャップ
Ｃ    縦方向中心軸
【図１】
2013180765.tif 000003
【図２】
2013180765.tif 000004
【図３】
2013180765.tif 000005
【図４】
2013180765.tif 000006
【図５】
2013180765.tif 000007
【図６】
2013180765.tif 000008
【図７】
2013180765.tif 000009
【図８】
2013180765.tif 000010